(57)【要約】【課題】  ツボの刺激効果よる健康増進機能のほかに、人形などの品物を収容することができ目で見て楽しめるディスプレイ機能を付加した健康器具を提供すること。【解決手段】  外周面に刺激用の小突起６を多数一体に有し、少なくとも長さ方向の一端部が開口した合成樹脂材又はゴムなどの弾性材からなる中空筒状の本体２を具え、この本体の開口部にキャップが着脱可能に装着された健康器具において、本体の中空内部が人形などの品物Ｆを開口部から収容可能な大きさのスペースからなっており、かつ収容した品物を外部から透視可能なように本体の周壁が透明材により形成されている。【選択図】      図４
0003119182.tif 000002
【実用新案登録請求の範囲】
【請求項１】
外周面に刺激用の小突起を多数一体に有し、少なくとも長さ方向の一端部が開口した合成樹脂材又はゴムなどの弾性材からなる中空筒状本体を具え、この本体の前記開口部にキャップが着脱可能に装着された健康器具において、前記本体の中空内部が人形などの品物を前記開口部から収容可能な大きさのスペースからなっており、かつ収容した品物を外部から透視可能なように前記本体の周壁が透明材により形成されていることを特徴とするディスプレイ機能付き健康器具。
【請求項２】
キャップは、本体をキャップが下になって縦置き可能となるよう、その底面が平坦状になっている請求項１記載のディスプレイ機能付き健康器具。
【請求項３】
本体は、外周の径が手のひらで握れるサイズとなっている請求項１又は２記載のディスプレイ機能付き健康器具。
【請求項４】
本体は、周壁に中空内部と外部とを連通する通気孔が設けられている請求項１ないし３のいずれかに記載のディスプレイ機能付き健康器具。
【考案の詳細な説明】
【技術分野】
【０００１】
この考案は、中空内部に収容した自分の好きな人形などの品物を見ながらリラックスした状態で手や足のツボを刺激し健康増進に役立てることができるとともに、ディスプレイ用としても利用できるディスプレイ機能付き健康器具に関するものである。
【背景技術】
【０００２】
本考案者は、嘗てツボの刺激効果と同時に爽やかな香り等でストレスを解消することができる健康器具を提供した（例えば、特許文献１参照）。
【０００３】
しかし、この特許文献１に開示の健康器具はあくまでも本体の外周面に設けた小突起によって、例えば握った手のひらのツボを刺激し健康増進に役立てようとするものであり、専ら健康増進の機能しか有さなかった。したがって、使用者にとってみれば何か物足りない感があり、さらに付加的な機能付加が求められていた。
【０００４】
【特許文献１】実用新案登録第３０１１１１５号公報
【考案の開示】
【考案が解決しようとする課題】
【０００５】
そこでこの考案は、前記従来のものに鑑み、手や足のツボ刺激による健康増進機能のほかにディスプレイ機能を付加して、利用価値を高めたディスプレイ機能付き健康器具を提供することを目的とする。
【課題を解決するための手段】
【０００６】
前記課題を解決するために、請求項１に記載の考案は、外周面に刺激用の小突起を多数一体に有し、少なくとも長さ方向の一端部が開口した合成樹脂材又はゴムなどの弾性材からなる中空筒状本体を具え、この本体の前記開口部にキャップが着脱可能に装着された健康器具において、前記本体の中空内部が人形などの品物を前記開口部から収容可能な大きさのスペースからなっており、かつ収容した品物を外部から透視可能なように前記本体の周壁が透明材により形成されていることを特徴とする。
【０００７】
請求項２に記載の考案は、請求項１において、キャップは、本体をキャップが下になって縦置き可能となるよう、その底面が平坦状になっていることを特徴とする。請求項３に記載の考案は、請求項１又は２において、本体は、外周の径が手のひらで握れるサイズとなっていることを特徴とする。請求項４に記載の考案は、請求項１ないし３のいずれかにおいて、本体は、周壁に中空内部と外部とを連通する通気孔が設けられていることを特徴とする。
【考案の効果】
【０００８】
この考案は、前記のようであって、本体の中空内部が人形などの品物を開口部から収容可能な大きさのスペースからなっており、かつ収容した品物を外部から透視可能なように本体の周壁が透明材により形成されているので、通常の使用、すなわち中空内部に収容した人形などの品物を見ながらリラックスした状態で本体の外周面に設けた小突起による手や足のツボを刺激することができ、健康増進に役立つことができる。また、本体をキャップを下にして縦置きすることにより、中空内部に収容した人形などの品物を透明材である本体の周壁から透視することができ、ディスプレイとしても利用することができるという優れた効果が期待できる。
【考案を実施するための最良の形態】
【０００９】
この考案の一実施の形態を、添付した図面を参照しながら詳細に説明する。
【００１０】
図１は考案の一実施の形態に係るディスプレイ機能付き健康器具全体を示す正面図、図２は図１のＡ−Ａ線で破断した断面図、図３は図１のＢ−Ｂ線で破断した分解断面図である。
【００１１】
図１において１は合成樹脂材料からなるディスプレイ機能付き健康器具で、軸方向の両端部が開口し、軟質で透明な材質から形成された略中空円筒状の本体２と、該本体２の上端開口部３ａに着脱可能に装着された上部キャップ５ａと、下端開口部３ｂに着脱可能に装着された底部キャップ５ｂとからなっている。この本体２は手のひらで握れるサイズである外周の直径が３６ｍｍ程度の略円筒状の周壁２０を有し、該周壁の上部の外周面は中央部より上端部側に向けて徐々に小径に形成されている。また周壁２０の外周面には全面に亘って刺激用の小突起６が多数一体に設けられている。この小突起６は先細のやや丸みのある略円錐形状を呈し、周壁２０の外周面の長手方向に列状となるように複数列、隣接する列の小突起６と互い違いとなるように配列されている。周壁２０の上端開口部３ａ付近の内周面には上部キャップ５ａを係合する環状の係合凹部２０ａが、下端開口部３ｂ付近の内周面には底部キャップ５ｂを係合する環状の係合凹部２０ｂが設けられている。
【００１２】
上部キャップ５ａは上端側が閉塞されたキャップ部５０と、かつ他端側が本体２の上端開口部３ａに嵌入し係合する係合部５１とからなり、この係合部５１の外周面には本体２への装着時に係合凹部２０ａと係合する環状の係合凸部５１ａが設けられている。
【００１３】
底部キャップ５ｂは底面を閉塞する底板部５２と、その底板部５２から下方に延びる略円筒状でその下端部の底面が平坦な脚部５３と、底板部５２から上方に延び下端開口部３ｂに嵌入し係合する係合部５４とからなり、この係合部５４の外周面には本体２への装着時に係合凹部２０ｂと係合する環状の係合凸部５４ｂが設けられている。
【００１４】
また、本体２の周壁２０の内周面と上部キャップ５ａと底部キャップ５ｂとで区画される空間は、人形などの自分の好きな品物を収容する中空収容部１０に形成されている。この収容部１０はどちらか一方の開口部から品物を収容可能な大きさのスペースからなり、かつ前述のように周壁２０を含む本体２が透明材により形成されているため、収容した品物を外部から透視可能となっている。図４は品物の一例として人形Ｆを収容した例を示す。このように、人形Ｆのような目で見て楽しめるもの、又は自分の目印となる品物を入れれば、目で見て楽しめる健康器具として使えるほか、自分だけのオリジナルグリップとして使うことができる。
【００１５】
使用に際しては、ハリネズミのような形の当該器具１の本体２の部分を、手で握って交互に手のひらを圧迫したり解除したりして、小突起６で手のひらのツボを刺激する。これにより手の握力強化や血行促進を図ることができ、使用者は肩こり、手足の疲れなどを解消できる。また、この器具１を床とかの所定位置に固定又は回転自在に配設して足の裏のマッサージに用いてもよいし、上部キャップ５ａのキャップ部５０で肩や腰などのツボを直接刺激しもよい。
【００１６】
そして、このような健康器具としての使用用途だけでなく、器具１は本体２を底部キャップ５ｂが下になって縦置き可能なので図４に示すように、底部キャップ５ｂの脚部５３で棚などに器具１を立てれば、人形Ｆなどの品物を見栄えよくディスプレイすることができるため、器具１をディスプレイ用のショーケースとして利用することもできる。
【００１７】
尚、この実施の形態は好ましい一例を示したにすぎず、キャップとしては少なくとも底部キャップ５ｂがあれば上部キャップ５ａは本体２と一体にして省略してもよく、そのほか各部材の細部の形状や構造は考案の内容を変更しない範囲で実施に際して適宜に変更・修正などをすることができる。また実施の形態では器具１を軟質合成樹脂材料で製作したが、ほかにゴムなどの弾性材としてもよい。また、器具１の本体２を透明な材質から構成したが、全部が透明でなくてもよく、収容した品物を外部から部分的にでも透視可能であればよい。
【００１８】
更に、収容部１０と外部とを連通する通気孔を器具１の本体２の周壁２０に設けてもよい。そして、人形Ｆの代わりにヒノキ・クローブ・シナモン・ミント・ユーカリなどの樹木から抽出された天然植物精油などの香剤が収容されたナイロンの不織布製の袋体からなる香剤収納体を当該中空収容部１０に収容すれば、香剤収納体の天然植物精油から発散する香りが通気孔を経て外部に放出され、これにより使用者は森林浴の爽やかな香りを楽しめる。したがって、きわめてリラックスした気分になり、日頃たまっているストレスもこれにより解消される。放出される香りは周囲の空気を浄化消臭する。また天然植物精油は芳香剤のようなものであってもよい。
【図面の簡単な説明】
【００１９】
【図１】この考案の一実施の形態に係るディスプレイ機能付き健康器具全体を示す正面図である。
【図２】図１のＡ−Ａ線で破断した断面図である。
【図３】図１のＢ−Ｂ線で破断した分解断面図である。
【図４】品物の一例として人形Ｆを収容した例を示す作用説明図である。
【符号の説明】
【００２０】
１  器具
２  本体
２０  周壁
３ａ  上端開口部
３ｂ  下端開口部
５ａ  上部キャップ
５ｂ  底部キャップ
５３  脚部
６  小突起
１０  中空収容部
Ｆ  人形（品物）
【図１】
0003119182.tif 000003
【図２】
0003119182.tif 000004
【図３】
0003119182.tif 000005
【図４】
0003119182.tif 000006